(57)【要約】      （修正有）【課題】切断刃がプラスチック製のものであっても、ラップフィルム巻回製品を使い切るまで良好な切断性を持続することのできるラップフィルム巻回製品を提供する。【解決手段】ラップフィルムの巻回体１０が略直方体の収納箱に収納されたラップフィルム巻回製品であって、収納箱が、（１）正面板１、底面板２、背面板３、及び側面板４の各壁面で形成される上部が開口した略直方体の収納室と、背面板の上端縁から収納室の開口部を覆う方向に連接した開閉可能な蓋面板５と、該蓋面板の前端縁から正面板を覆う方向に延出した掩蓋片６と、側面板の上端縁から収納室の開口部側を覆う方向に連接したフラップ７を有し；（２）底面板の底面側の面の正面板に連接する側の端部に、プラスチック製の切断刃８を、刃先が延出するように有し；（３）ワニスの塗布膜９を正面板の正面側の面の高さ方向略中央部の幅１ｃｍの領域の少なくとも一部に有し；（４）ワニスの塗布膜を正面板の正面側の面の幅方向略中央部の幅２ｃｍの領域には有さない。【選択図】図１
0003207674.tif 000002
【実用新案登録請求の範囲】
【請求項１】
ラップフィルムの巻回体が略直方体の収納箱に収納されたラップフィルム巻回製品であって、
上記収納箱が、
（１）正面板、底面板、背面板、及び側面板の各壁面で形成される上部が開口した略直方体の収納室と、上記背面板の上端縁から上記収納室の開口部を覆う方向に連接した開閉可能な蓋面板と、該蓋面板の前端縁から上記正面板を覆う方向に延出した掩蓋片と、上記側面板の上端縁から上記収納室の開口部側を覆う方向に連接したフラップを有し；
（２）上記底面板の底面側の面の上記正面板に連接する側の端部に、プラスチック製の切断刃を、刃先が延出するように有し；
（３）ワニスの塗布膜を上記正面板の正面側の面の高さ方向略中央部の幅１ｃｍの領域の少なくとも一部に有し；
（４）上記ワニスの塗布膜を上記正面板の正面側の面の幅方向略中央部の幅２ｃｍの領域には有さない；
ラップフィルム巻回製品。
【請求項２】
上記ワニスの塗布膜の形成面積が、上記正面板の正面側の面の面積の１０〜４０％である請求項１に記載のラップフィルム巻回製品。
【請求項３】
上記ワニスの塗布膜の形成位置が上記正面板の下端縁側に偏している請求項１又は２に記載のラップフィルム巻回製品。
【請求項４】
上記ラップフィルムがポリ塩化ビニル系樹脂フィルム、ポリ塩化ビニリデン系樹脂フィルム、ポリエチレン系樹脂フィルム、又はポリ４‐メチルペンテン‐１系樹脂フィルムである請求項１〜３の何れか１項に記載のラップフィルム巻回製品。
【考案の詳細な説明】
【技術分野】
【０００１】
本考案は、一般家庭、食料品販売業、及び飲食物提供役務等において、主として食品の包装用に汎用されているラップフィルムを、略直方体の収納箱に納められた巻回体として提供するラップフィルム巻回製品に関する。
【背景技術】
【０００２】
従来から、ラップフィルムは略直方体の収納箱に納められた巻回体として提供されており、収納箱から必要分量を引き出し、切断刃により切断して使用に供されている。近年、上記切断刃として、収納箱のリサイクル性や分別廃棄のし易さの観点から、金属製の切断刃に替えてプラスチック製の切断刃が普及している。ところがプラスチック製の切断刃は、耐クラック性が十分ではないため、金属製の切断刃のようにカシメを用いて強く固定することができない。通常は接着剤により固定されている。そのためラップフィルム巻回製品を使い切る前に、プラスチック製の切断刃の収納箱への固定が緩み、切断性が大きく低下してしまうという問題があった。甚だしい場合は収納箱からプラスチック製の切断刃が脱落してしまい、切断できなくなってしまう。
【先行技術文献】
【特許文献】
【０００３】
【特許文献１】特開平６−２９３３３８号公報
【特許文献２】特開２０１５−１９９５２６号公報
【考案の概要】
【考案が解決しようとする課題】
【０００４】
本考案の課題は、切断刃がプラスチック製のものであっても、ラップフィルム巻回製品を使い切るまで良好な切断性を持続することのできるラップフィルム巻回製品を提供することにある。
【課題を解決するための手段】
【０００５】
本考案者は、鋭意研究した結果、収納箱の正面板の正面側の面の上にワニスの塗布膜を特定の位置・形状に設けることにより、上記課題を達成できることを見出した。
【０００６】
すなわち、本考案は、ラップフィルムの巻回体が略直方体の収納箱に収納されたラップフィルム巻回製品であって、上記収納箱が、
（１）正面板、底面板、背面板、及び側面板の各壁面で形成される上部が開口した略直方体の収納室と、上記背面板の上端縁から上記収納室の開口部を覆う方向に連接した開閉可能な蓋面板と、該蓋面板の前端縁から上記正面板を覆う方向に延出した掩蓋片と、上記側面板の上端縁から上記収納室の開口部側を覆う方向に連接したフラップを有し；
（２）上記底面板の底面側の面の上記正面板に連接する側の端部に、プラスチック製の切断刃を、刃先が延出するように有し；
（３）ワニスの塗布膜を上記正面板の正面側の面の高さ方向略中央部の幅１ｃｍの領域の少なくとも一部に有し；
（４）上記ワニスの塗布膜を上記正面板の正面側の面の幅方向略中央部の幅２ｃｍの領域には有さない；
ラップフィルム巻回製品である。
【０００７】
第２の考案は、上記ワニスの塗布膜の形成面積が、上記正面板の正面側の面の面積の１０〜４０％である第１の考案に記載のラップフィルム巻回製品である。
【０００８】
第３の考案は、上記ワニスの塗布膜の形成位置が上記正面板の下端縁側に偏している第１の考案又は第２の考案に記載のラップフィルム巻回製品である。
【０００９】
第４の考案は、上記ラップフィルムがポリ塩化ビニル系樹脂フィルム、ポリ塩化ビニリデン系樹脂フィルム、ポリエチレン系樹脂フィルム、又はポリ４‐メチルペンテン‐１系樹脂フィルムである第１〜３の考案の何れか１に記載のラップフィルム巻回製品である。
【考案の効果】
【００１０】
本考案のラップフィルム巻回製品は、切断刃がプラスチック製のものであっても、ラップフィルム巻回製品を使い切るまで良好な切断性を持続することができる。またラップフィルムを収納箱から引出す際の操作性（以下、「引出性」ということがある。）も良好である。
【考案を実施するための形態】
【００１１】
本考案について、好ましい実施態様を中心に、図を参照して説明する。図１は本考案のラップフィルム巻回製品の一例を示す使用状態の斜視図である。収納箱本体は正面板１、底面板２、背面板３、及び側面板４の各壁面で形成される上部が開口した略直方体の収納室と、背面板３の上端縁から上記収納室の開口部を覆う方向に連接した開閉可能な蓋面板５と、蓋面板５の前端縁から正面板１を覆う方向に延出した掩蓋片６と、側面板４の上端縁から上記収納室の開口部側を覆う方向に連接したフラップ７を有している。なお図１にはジッパー１５は図示していない。
【００１２】
図２は本考案のラップフィルム巻回製品の一例を示す底面図である。底面板２の底面側の面の正面板１に連接する側の端部に、プラスチック製の切断刃８を、刃先が延出するように有している。なおプラスチック製の切断刃８は、切断刃８を生産する際の生産性の観点から、通常は図２に示すような両刃であるが、片刃のものを用いてもよい。
【００１３】
図３は本考案のラップフィルム巻回製品の一例を示す使用状態において蓋面板５を開けたときの正面図である。ワニスの塗布膜９を正面板１の正面側の面の高さ方向略中央部の幅１ｃｍの領域１２の少なくとも一部に有する。一方、ワニスの塗布膜９は、正面板１の正面側の面の幅方向略中央部の幅２ｃｍの領域１３には有さない。なおワニスの塗布膜９を、正面板１の正面側の面の領域１２と領域１３の何れにも属さない部分に有していてもよい。図３の例では、領域１２の幅方向両端部、及び領域１３と重なる領域以外の全面にワニスの塗布膜９を有している。
【００１４】
上記収納箱本体に収納されたラップフィルム巻回体１０から引き出されたラップフィルム１１は、ワニスの塗布膜９に付着し、自動的に押し広げられた状態になり、スムーズに切断することができるようになる。そのため切断する際にプラスチック製の切断刃８に無理な力がかかり、プラスチック製の切断刃８の底面板２への固定が緩むことはない。その結果として、ラップフィルム巻回製品を使い切るまで良好な切断性を持続することができようになる。
【００１５】
図４は本考案のラップフィルム巻回製品の一例を示す未使用状態の正面図である。掩蓋片６の前端縁から正面板１を覆う方向に更に延出した開封片１６を有している。そして開封片１６の背面側の面と、正面板１の正面側の面とは、ジッパー（接着剤の塗布される領域）１５において接着されている。また開封片１６は、容易に切り取ることができるように、掩蓋片６とは切取線１７により連接されている。
【００１６】
ワニスの塗布膜９の下端縁と正面板１の下端縁との距離１４は、ジッパー１５を設けるために、通常１．５ｃｍ以上、好ましくは２ｃｍ以上であってよい。
【００１７】
ワニスの塗布膜９の幅（収納箱高さ方向の長さ）は、引き出されたラップフィルム１１をワニスの塗布膜９に確実に付着させる観点から、通常０．５ｃｍ以上、好ましくは０．７ｃｍ以上、より好ましくは１ｃｍ以上であってよい。また距離１４を上記範囲にする観点から、上記収納箱本体の大きさにもよるが、高さ４．８ｃｍの収納箱の場合には、通常３ｃｍ以下、好ましくは２．５ｃｍ以下であってよい。なおワニスの塗布膜９の形状が長方形（正方形を含む。）以外の形状である場合には、収納箱高さ方向の長さの最大値をもって、ワニスの塗布膜９の幅とする。
【００１８】
ワニスの塗布膜９の形成位置は正面板１の上端縁側又は下端縁側に偏していてもよい。ここで「下端縁側に偏している」とは、ワニスの塗布膜９を等面積に分割されるように、収納箱の幅方向と平行な直線を引いたとき、該直線が高さ方向の中央よりも下端縁側にあることを意味する。「上端縁側に偏している」とは、同様に、上記直線が高さ方向の中央よりも上端縁側にあることを意味する。
【００１９】
ワニスの塗布膜９の形成位置が正面板１の上端縁側に偏しているときは、ラップフィルム１１の固定が上端縁側に偏るため、ラップフィルム１１の固定が少なくなり摘み易くなる。
【００２０】
ワニスの塗布膜９の形成位置が正面板１の下端縁側に偏しているときは、ラップフィルム１１が切断刃９の近くで固定されるため、切断時にラップフィルム１１のずれる事が少なくなり、切断性が良好になる。
【００２１】
ワニスの塗布膜９は、正面板１の正面側の面の幅方向略中央部の幅２ｃｍの領域１３には有さない。そのため引出性、特にマシン方向に長いラップフィルム片を得ようとする際の引出性が確保される。
【００２２】
領域１３の上記幅は、引出性の観点から、上記収納箱本体の大きさにもよるが、幅３１ｃｍの収納箱の場合には、通常２ｃｍ以上、好ましくは３ｃｍ以上、より好ましくは４ｃｍ以上であってよい。一方、引き出されたラップフィルム１１をワニスの塗布膜９に確実に付着させる観点から、通常２０ｃｍ以下、好ましくは１５ｃｍ以下であってよい。
【００２３】
図５、及び図６はワニスの塗布膜９の塗布形状の他の例を示す正面図である。なお図５、及び図６には蓋面板５、及び掩蓋片６は図示していない。
【００２４】
ワニスの塗布膜９の形成面積は、引き出されたラップフィルム１１をワニスの塗布膜９に確実に付着させる観点から、正面板１の正面側の面の面積の通常５％以上、好ましくは１０％以上、より好ましくは１５％以上であってよい。一方、引出性の観点から、通常４０％以下、好ましくは３０％以下、より好ましくは２５％以下であってよい。
【００２５】
ワニスの塗布膜９を形成するための塗料としては、任意の硬化性樹脂を含む塗料を用いることができる。ワニスの塗布膜９は、上記塗料を用いて、正面板１の正面側の面の上に、上述の形状になるように塗布した後、上記塗料の性状により紫外線や電子線等の活性エネルギー線を照射したり、熱処理したりして硬化することにより形成することができる。
【００２６】
上記硬化性樹脂としては、例えば、アクリロイル基、メタクリロイル基、エポキシ基、ビニル基、アミノ基、及びメルカプト基などの反応性官能基を１分子中に１以上、好ましくは２以上有する化合物、及びこれらの１種以上が２個以上重合したオリゴマー又はポリマーをあげることができる。上記硬化性樹脂としては、典型的には、ポリウレタン（メタ）アクリレート、ポリエステル（メタ）アクリレート、ポリアクリル（メタ）アクリレート、エポキシ（メタ）アクリレート、ポリアルキレングリコールポリ（メタ）アクリレート、及び、ポリエーテル（メタ）アクリレートなどの（メタ）アクリロイル基含有プレポリマー又はオリゴマーをあげることできる。上記硬化性樹脂としては、これらの１種又は２種以上の混合物を用いることができる。なお（メタ）アクリレートとはアクリレート又はメタクリレートの意味である。（メタ）アクリロイル基とはアクリロイル基又はメタクリロイル基の意味である。
【００２７】
上記塗料が活性エネルギー線硬化性のものである場合には、所望に応じて、活性エネルギー線による硬化性を良好にする観点から、１分子中に２以上のイソシアネート基（−Ｎ＝Ｃ＝Ｏ）を有する化合物及び／又は光重合開始剤を更に含ませることが好ましい。
【００２８】
上記塗料には、本考案の目的に反しない限度において、所望に応じて、帯電防止剤、界面活性剤、レベリング剤、チクソ性付与剤、汚染防止剤、印刷性改良剤、酸化防止剤、耐候性安定剤、耐光性安定剤、紫外線吸収剤、熱安定剤、無機微粒子、有機微粒子、及び着色剤などの添加剤を１種又は２種以上含ませることができる。
【００２９】
上記塗料は、塗工し易い濃度に希釈するため、所望に応じて溶剤を含んでいてもよい。上記溶剤としては、１‐メトキシ‐２‐プロパノール、酢酸エチル、酢酸ｎブチル、トルエン、メチルエチルケトン、メチルイソブチルケトン、ダイアセトンアルコール、及びアセトンなどをあげることができる。上記溶剤としては、これらの１種又は２種以上の混合物を用いることができる。
【００３０】
プラスチック製の切断刃８は、任意のプラスチック材料、好ましくは硬度の高いプラスチック材料を用いて作ることができる。上記プラスチック材料としては、ポリ乳酸などのポリ乳酸系樹脂、ポリエチレンテレフタレート、ポリブチレンテレフタレートなどのポリエステル系樹脂、アクリル系樹脂、ポリスチレン系樹脂、及びポリアセタール系樹脂などをあげることができる。また上記プラスチック材料には、食品包装用ラップフィルムの切断に用いるという目的に反しない限度において、無機充填剤、酸化防止剤、熱安定剤、光安定剤、防水材、滑剤、離型剤、及び顔料などを含ませることができる。
【００３１】
プラスチック製の切断刃８は、上記プラスチック材料の１種以上を用い、任意の方法でシート（無延伸シート、一軸延伸シート、及び二軸延伸シートを含む。）に製膜した後、例えば、図２で示される形状に、任意の方法で切断することにより得ることができる。
【００３２】
プラスチック製の切断刃８と上記収納箱本体との固着に用いる接着剤としては、特に制限されず、常用の接着剤を任意に選択して用いることができる。上記接着剤としては、例えば、エチレン酢酸ビニル共重合体系ホットメルト接着剤、及び飽和共重合ポリエステル系ホットメルト接着剤などをあげることができる。
【００３３】
上記収納箱本体は、任意の材料を用いて作ることができる。上記材料としては、例えば、コートボール紙、段ボール、含浸紙、及び熱可塑性樹脂シートなどをあげることができる。これらの中で、コートボール紙が好ましい。紙の坪量は、耐久性、コスト、及び工作容易性を勘案して適宜選択する。通常は坪量４００〜５００ｇ／ｍ２のものが好ましい。
【００３４】
本考案のラップフィルム巻回製品に収納されるラップフィルムとしては、特に制限されない。上記ラップフィルムとしては、例えば、ポリ塩化ビニル系樹脂フィルム、ポリ塩化ビニリデン系樹脂フィルム、ポリエチレン系樹脂フィルム、及びポリ４‐メチルペンテン‐１系樹脂フィルムなどをあげることができる。
【００３５】
上記ラップフィルムの厚みは、通常３〜３０μｍ、好ましくは５〜２０μｍ、より好ましくは６〜１２μｍであってよい。
【００３６】
本考案の構成が、実施例により具体的に説明されたが、これらは本考案を例示的に説明したものに過ぎず、本考案の技術分野における通常の知識を有する者であれば、本考案の本質的な特徴から外れない範囲内で様々な変形が可能である。本明細書に開示された実施例により、本考案の技術思想と技術的範囲が何ら限定されるものではない。本考案の技術的範囲は、実用新案登録請求の範囲の記載に基づいて定められるべきであり、これと同等の範囲内にある全ての技術は、本考案の技術的範囲に含まれるものと解釈されるべきである。
【図面の簡単な説明】
【００３７】
【図１】本考案の一例を示す使用状態の斜視図である。
【図２】本考案の一例を示す底面図である。
【図３】本考案の一例を示す使用状態で蓋面板を開けたときの正面図である。
【図４】本考案の一例を示す未使用状態の正面図である。
【図５】ワニスの塗布膜の塗布形状の他の例を示す正面図である
【図６】ワニスの塗布膜の塗布形状の他の例を示す正面図である
【符号の説明】
【００３８】
１：正面版
２：底面板
３：背面板
４：側面板
５：蓋面板
６：掩蓋片
７：フラップ
８：プラスチック製の切断刃
９：ワニスの塗布膜
１０：ラップフィルムの巻回体
１１：巻回体から引き出されたラップフィルム
１２：高さ方向略中央部の幅１ｃｍの領域
１３：幅方向略中央部の幅２ｃｍの領域
１４：ワニスの塗布膜の下端縁と正面板の下端縁との距離
１５：ジッパー
１６：開封片
１７：切取線
【図１】
0003207674.tif 000003
【図２】
0003207674.tif 000004
【図３】
0003207674.tif 000005
【図４】
0003207674.tif 000006
【図５】
0003207674.tif 000007
【図６】
0003207674.tif 000008